【手続補正書】
【提出日】平成25年3月12日(2013.3.12)
【手続補正１】
【補正対象書類名】特許請求の範囲
【補正対象項目名】請求項１
【補正方法】変更
【補正の内容】
【請求項１】
熱交換器（３）と、
第１温度の湯が貯湯され、その湯が所定の給湯器（５）から出湯される給湯用の第１貯湯タンク（７）と、
第２温度の湯が貯湯され、その湯が前記熱交換器に循環されて前記熱交換器を加熱する熱交換用の第２貯湯タンク（９）と、
を備えることを特徴とする給湯装置。
【手続補正２】
【補正対象書類名】明細書
【補正対象項目名】００１２
【補正方法】変更
【補正の内容】
【００１２】
上記課題を解決する為に、本発明の第１の態様は、熱交換器（３）と、第１温度の湯が貯湯され、その湯が所定の給湯器（５）から出湯される給湯用の第１貯湯タンク（７）と、第２温度の湯が貯湯され、その湯が前記熱交換器に循環されて前記熱交換器を加熱する熱交換用の第２貯湯タンク（９）と、を備えるものである。
【手続補正３】
【補正対象書類名】明細書
【補正対象項目名】００２９
【補正方法】変更
【補正の内容】
【００２９】
本発明の第８の態様によれば、第２貯湯タンク（９）の下部に貯まった湯水を給湯に使用するので、第２貯湯タンクに貯まった湯水が加熱手段（１１）に排出されて加熱される事が防止され、加熱手段の加熱効率の低下を防止できる。
【手続補正４】
【補正対象書類名】明細書
【補正対象項目名】００３７
【補正方法】変更
【補正の内容】
【００３７】
循環配管ｈ４の一部は、ヒートポンプ熱源機１１内に取り込まれている。吐出口９ｂは、配管ｈ５を介して、循環配管ｈ４においてヒートポンプ熱源機１１と吐出口７ｂとの間の部分に分岐接続されている。以降、循環配管ｈ４と配管ｈ５との分岐接続点を、接続点Ｎ１と呼ぶ。入湯口９ｃは、配管ｈ６を介して、循環配管ｈ４においてヒートポンプ熱源機１１と入湯口７ｃとの間の部分に分岐接続されている。循環配管ｈ４と配管ｈ６との分岐接続点には、３方弁である調整弁（第１弁）Ｂ１が配設されている。
【手続補正５】
【補正対象書類名】明細書
【補正対象項目名】００４０
【補正方法】変更
【補正の内容】
【００４０】
第１および第２貯湯タンク７，９の上部（例えば天井部）にはそれぞれ、出湯口７ｄ，９ｄが設けられている。出湯口７ｄは、第１出湯管ｈ７を介して給湯器５に接続されている。出湯口９ｄは、第２出湯管ｈ８を介して第１出湯管ｈ７に分岐接続されており、その分岐接続点には、３方弁である調整弁（第３弁）Ｂ３が配設されている。
【手続補正６】
【補正対象書類名】明細書
【補正対象項目名】００５１
【補正方法】変更
【補正の内容】
【００５１】
ヒートポンプ熱源機１１は、循環配管ｈ４を加熱することで循環配管ｈ４内の湯水を目標温度に加熱する。ここでは例えば、ヒートポンプ熱源機１１の加熱能力が一定に設定されており、ヒートポンプ熱源機１１に流入する湯水の流入量がポンプＰ１により制御されることで、目標温度が制御される。
【手続補正７】
【補正対象書類名】明細書
【補正対象項目名】００５３
【補正方法】変更
【補正の内容】
【００５３】
第１残湯量検出部２７ａは、各温度センサＴ１〜Ｔ５の検出温度に基づいて第１貯湯タンク７内に貯湯される湯の量（残湯量）を検出する。例えば、第１残湯量検出部２７ａは、各温度センサＴ１〜Ｔ３の検出温度が９０℃で各温度センサＴ４〜Ｔ５の検出温度が４０℃の場合は、第１貯湯タンク７の残湯量は第１貯湯タンク７の天井部から温度センサＴ３の位置までの量であると検出される。
【手続補正８】
【補正対象書類名】明細書
【補正対象項目名】００６１
【補正方法】変更
【補正の内容】
【００６１】
また制御部２７ｅは、第１判定部２７ｃの判定結果に基づいて調整弁Ｂ３を制御する。より詳細には、制御部２７ｅは、第１貯湯タンク７の残湯量が第１所定量（所定量）より多い場合は、調整弁Ｂ３を第１貯湯タンク７側を全開とし第２貯湯タンク９側を全閉とする様に制御し、他方、第１貯湯タンク７の残湯量が第１所定量以下の場合は、調整弁Ｂ３を第１貯湯タンク７側を全閉とし第２貯湯タンク９側を全開とする様に制御する（尚、調整弁Ｂ３を、第１貯湯タンク７側を全閉とし第２貯湯タンク９側を全開とする様に制御する代わりに、第１貯湯タンク７からの湯と第２貯湯タンク９からの湯とが所定の混合比で混合する様に制御してもよい）。これにより、第１貯湯タンク７の残湯量が第１所定量以下の場合（即ち第１貯湯タンク７が湯切れしそうな場合）は、第２貯湯タンク９内の湯が使用されて第１貯湯タンク７の湯切れが防止される。
【手続補正９】
【補正対象書類名】明細書
【補正対象項目名】００６２
【補正方法】変更
【補正の内容】
【００６２】
また制御部２７ｅは、操作入力部２７ｆに設定入力された給湯温度に基づいて調整弁Ｂ４を制御する。より詳細には、例えば第１出湯管ｈ７における調整弁Ｂ４と給湯器５との間の部分には、当該部分に流れる湯または湯水の温度を検出する温度センサ２１が配設されており、制御部２７ｅは、温度センサ２１の検出温度が操作入力部２７ｆに設定入力された給湯温度になる様に調整弁Ｂ４を制御する。これにより給湯器５から出湯する湯の温度が給湯温度に制御される。
【手続補正１０】
【補正対象書類名】明細書
【補正対象項目名】００６３
【補正方法】変更
【補正の内容】
【００６３】
また制御部２７ｅは、第２判定部２７ｄの判定結果に基づいて調整弁Ｂ２を制御する。より詳細には、制御部２７ｅは、第２判定部２７ｄの判定の結果、第２貯湯タンク９内の湯水の量が第２所定量（所定量）以上である場合は、調整弁Ｂ２を第２貯湯タンク９側を全開とし水道水の流入側Ｉを全閉となる様に制御し、他方、第２貯湯タンク９内の湯水の量が第２所定量以上でない場合は、調整弁Ｂ２を第２貯湯タンク９側を全閉とし水道水の流入側Ｉを全開となる様に制御する（尚、第２貯湯タンク９内の湯水の量が第２所定量以上である場合では、調整弁Ｂ２を、第２貯湯タンク９側を全閉とし水道水の流入側Ｉを全開となる様に制御する代わりに、第２貯湯タンク９からの湯水とＩ側からの水道水とが所定の混合比で混合する様に制御してもよい）。
【手続補正１１】
【補正対象書類名】明細書
【補正対象項目名】００６５
【補正方法】変更
【補正の内容】
【００６５】
尚、第２貯湯タンク９内の湯が９ｄ→Ｂ３→Ｂ４→５の順に流れて給湯器５から出湯した場合も、その出湯により第２貯湯タンク９内の湯が減少した分、給水口９ａから第２貯湯タンク９内に供給水が供給される。同様に、第１貯湯タンク７内の湯が７ｄ→Ｂ３→Ｂ４→５の順に流れて給湯器５から出湯した場合も、その出湯により第１貯湯タンク７内の湯が減少した分、給水口７ａから第１貯湯タンク７内に供給水が供給される。
【手続補正１２】
【補正対象書類名】明細書
【補正対象項目名】００６６
【補正方法】変更
【補正の内容】
【００６６】
また制御部２７ｅは、操作入力部２７ｆに暖房開始の指示が入力されると、操作入力部２７ｆに設定入力された暖房温度に基づいて温水暖房器１９およびポンプＰ２を稼働させる。即ち、例えば循環配管１９ａにおける熱交換器３の出湯口側にはその出湯口から出湯する湯の温度を検出する温度センサ２３が配設されており、制御部２７ｅは、操作入力部２７ｆに暖房開始の指示が入力されると、ポンプＰ２を所定の排水量で稼働させると共に温度センサ２３の検出温度が暖房温度になる様にポンプＰ３の排出量を制御する。
【手続補正１３】
【補正対象書類名】明細書
【補正対象項目名】００６７
【補正方法】変更
【補正の内容】
【００６７】
これにより、ポンプＰ２により第２貯湯タンク９内の湯が９ｆ→３→Ｐ２→９ｇの順に循環配管ｈ１０を循環させられると共に、ポンプＰ３により循環配管１９ａ内の暖房用液体が循環配管１９ａを循環させられる。そして熱交換器３において循環配管ｈ１０内の湯により循環配管１９ａ内の暖房用液体が暖房温度に加熱され、この暖房用液体により暖房対象の部屋の床が暖められる。尚、操作入力部２７ｆに暖房停止の指示が入力されると、各ポンプＰ２,Ｐ３が停止されて暖房が停止される。
【手続補正１４】
【補正対象書類名】明細書
【補正対象項目名】００６９
【補正方法】変更
【補正の内容】
【００６９】
また第２貯湯タンク９には、第１貯湯タンク７内の湯の温度よりも低い温度の湯が貯湯されるので、第２貯湯タンク９内の湯からの放熱損失を低減できる。
【手続補正１５】
【補正対象書類名】明細書
【補正対象項目名】００７４
【補正方法】変更
【補正の内容】
【００７４】
尚、この実施形態では、第２貯湯タンク９に貯湯される湯の温度（第２温度）が第１貯湯タンク７に貯湯される湯の温度（第１温度）よりも低く設定される場合で説明したが、第１温度が第２温度よりも低く設定されてもよい。この場合は、第１貯湯タンク７には、第２貯湯タンク９内の湯の温度よりも低い温度の湯が貯湯されるので、第１貯湯タンク７内の湯からの放熱損失を低減できる。尚、第１温度と第２温度を同じ温度に設定してもよい。
【手続補正１６】
【補正対象書類名】明細書
【補正対象項目名】００７６
【補正方法】変更
【補正の内容】
【００７６】
設定温度変更部２７ｇは、例えば、第２貯湯タンク９に貯湯される湯の設定温度を、前記検出温度が基準温度（例えば１４℃）よりも低いほど、より高くなる様に変更し、または前記検出温度が前記基準温度よりも高いほどより低くなる様に変更する。
【手続補正１７】
【補正対象書類名】明細書
【補正対象項目名】００７９
【補正方法】変更
【補正の内容】
【００７９】
＜第３実施形態＞
この実施形態に係る給湯装置１Ｃは、図４の様に、第１実施形態（図２参照）において更に、操作入力部２７ｆに設定入力された暖房温度に応じて第２貯湯タンク９に貯湯される湯の設定温度を変更する設定温度変更部（設定温度変更手段）２７ｈを更に備えたものである。
【手続補正１８】
【補正対象書類名】明細書
【補正対象項目名】００８０
【補正方法】変更
【補正の内容】
【００８０】
設定温度変更部２７ｈは、例えば、第２貯湯タンク９に貯湯される湯の設定温度を、操作入力部２７ｆに設定入力された暖房温度と同じ温度、またはその暖房温度よりも所定温度高い温度に変更する。
【手続補正１９】
【補正対象書類名】明細書
【補正対象項目名】００８１
【補正方法】変更
【補正の内容】
【００８１】
この様に構成された給湯装置１Ｃによれば、第２貯湯タンク９に貯湯される湯の設定温を暖房温度に応じて変更するので、第２貯湯タンク９の蓄熱量を暖房温度に応じて最適な量に調整して確保できる。
【手続補正２０】
【補正対象書類名】明細書
【補正対象項目名】００８６
【補正方法】変更
【補正の内容】
【００８６】
これにより、ポンプＰ２により第２貯湯タンク９内の湯が９ｆ→３→Ｐ２→９ｇの順に循環配管ｈ１０を循環すると共にポンプＰ４により浴槽３１内の湯水が循環配管３１ａを循環し、熱交換器３において循環配管ｈ１０内の湯により循環配管３１ａ内の湯水が追焚温度または保温温度に加熱されて、浴槽３１内の湯水が追焚または保温される。尚、操作入力部２７ｆに追焚停止または保温停止の指示が入力されると、各ポンプＰ２,Ｐ４が停止されて追焚または保温が止められる。
【手続補正２１】
【補正対象書類名】明細書
【補正対象項目名】００８７
【補正方法】変更
【補正の内容】
【００８７】
この様に構成された給湯装置１Ｄによれば、熱交換器３を浴槽３１内の湯水の追焚または保温に使用する場合にも、第１実施形態と同様の効果を得る事ができる。